【事件の表示】
　特願２００９−　６５３４３「ガスの混合物を分析する方法および装置」拒絶査定不服審判事件〔平成２１年　８月　６日出願公開、特開２００９−１７５１５３〕について、次のとおり審決する。
【結　論】
　本件審判の請求は、成り立たない。
【理　由】
第１　手続の経緯
　本願は，平成１３年１０月１５日（パリ条約による優先権主張　外国庁受理　２０００年１０月１６日　（ＵＳ）米国，２０００年１１月９日　（ＵＳ）米国）を国際出願日とする特願２００２−５３６５３０号の一部を，平成２１年３月１８日に新たな特許出願としたものであって，その手続の経緯は以下のとおりである。
　
平成２４年　３月２６日付け：拒絶理由の通知
　　　同年１０月　２日付け：意見書，手続補正書の提出
　　　同年１０月１７日付け：拒絶理由（最後の拒絶理由）の通知
平成２５年　４月３０日付け：意見書，手続補正書の提出
　　　同年　５月２１日付け：平成２５年４月３０日付けの手続補正に
　　　　　　　　　　　　　　ついての補正の却下の決定，拒絶査定
　　　同年１０月　４日付け：審判請求書，手続補正書の提出
　
第２　平成２５年１０月　４日付けの手続補正についての補正の却下の決定
　
［補正の却下の決定の結論］
　平成２５年１０月　４日付けの手続補正（以下「本件補正」という。）を却下する。
　
［理由］
１　本件補正について
（１）本件補正後の特許請求の範囲の記載
　本件補正により，特許請求の範囲の請求項１は，次のとおり補正された。なお，補正箇所を示すものとして当審が下線を付した。
　
「
燃焼ガス排出物の
　（ａ）少なくとも４つの化学的／電気的活性物質のアレイであって，
　それぞれの化学的／電気的活性物質は，該個別ガス成分に選択された温度で暴露したときに他の化学的／電気的活性物質のそれぞれとは異なる電気的応答特性を有し，
　これらの４つの化学的／電気的活性物質は，式Ｍ1Ｏx
および
x
の
x
の
　式Ｍ1Ｏxの金属酸化物がＺｎＯ，ＳｎＯ2およびＮｉＯからなる群より選択され，
そして，
　式Ｍ1aＭ2bＯxの金属酸化物がＮｉＦｅ2Ｏ4，１％Ｎｂ：ＴｉＯ2
，Ｍ
6
，Ｚ
，
，および，ＳｒＮｂ
2
Ｏ
6
とＳｒＴｉＯ
3
の混合物
，
　ただし，当該４つの金属酸化物物質の組み合わせは
，Ｍ
および，ＳｒＮｂ
2
Ｏ
6
とＳｒＴｉＯ
3
の混合物
　（ｂ）該アレイを該ガス混合物に暴露したときに，それぞれの化学的／電気的活性物質の電気的応答を決定する手段と，
　（ｃ）該電気的応答から該個別ガス成分の分析を行う手段と，
を備えた，多成分ガス混合物中の少なくとも１種の個別ガス成分を分析する装置。」
　
（２）本件補正前の特許請求の範囲
　本件補正前の，平成２４年１０月　２日付けの手続補正による特許請求の範囲の記載は次のとおりである。
「【請求項１】
　多成分ガス混合物中の少なくとも１種の個別ガス成分を分析する装置であって，
　（ａ）少なくとも４つの化学的／電気的活性物質のアレイであって，
　それぞれの化学的／電気的活性物質は，該個別ガス成分に選択された温度で暴露したときに他の化学的／電気的活性物質のそれぞれとは異なる電気的応答特性を有し，
　これらの４つの化学的／電気的活性物質は，式Ｍ1Ｏx，Ｍ1aＭ2bＯxおよびＭ1aＭ2bＭ3cＯxの金属酸化物の異なる組み合わせから選ばれ；４つの金属酸化物物質の組み合わせが，少なくとも１つの式Ｍ1aＭ2bＯxまたはＭ1aＭ2bＭ3cＯxの金属酸化物を含み，
　式Ｍ1Ｏxの金属酸化物がＺｎＯ，ＳｎＯ2およびＮｉＯからなる群より選択され，
　式Ｍ1aＭ2bＯxの金属酸化物がＮｉＦｅ2Ｏ4，１％Ｎｂ：ＴｉＯ2，ＳｒＮｂ2Ｏ6，ＭｎＴｉＯ3，Ｚｎ4ＴｉＯ6，ＳｒＴｉＯ3，ＺｎＴｉＯ3およびＭｎＣｒＯ3からなる群より選択され，ただし，４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではなく，
　式Ｍ1aＭ2bＭ3cＯxの金属酸化物がＣｕＭｎＦｅ2Ｏ4および１％Ｚｎ：ＭｇＡｌ2Ｏ4からなる群より選択され，
　ａ，ｂおよびｃは，ａ＋ｂ＋ｃ＝１という条件つきで，それぞれ独立して，０.０００５〜１であり，ｘは，存在する酸素が化合物中の他の元素の電荷とのバランスをとるのに十分な数である，アレイと，
　（ｂ）該アレイを該ガス混合物に暴露したときに，それぞれの化学的／電気的活性物質の電気的応答を決定する手段と，
　（ｃ）該電気的応答から該個別ガス成分の分析を行う手段と，
を備えた，多成分ガス混合物中の少なくとも１種の個別ガス成分を分析する装置。
　　【請求項２】
　前記ガス混合物中の成分ガスが分離されていない，請求項１に記載の装置。
　　【請求項３】
　前記多成分ガス混合物に暴露したときだけ前記化学的／電気的活性物質の電気的応答から前記分析が行われる，請求項１に記載の装置。
　　【請求項４】
　前記化学的／電気的活性物質に並列回路構成で接続された，前記ガス混合物の温度値を決定する手段をさらに備え，前記個別ガス成分が，ディジタル化された電気的応答およびディジタル化された温度値から分析される，請求項１に記載の装置。
　　【請求項５】
　それぞれの化学的／電気的活性物質の温度が実質的に前記ガス混合物の可変温度だけで決まる，請求項１に記載の装置。
　　【請求項６】
　選択された温度の前記ガス混合物に暴露したときの各物質の電気的応答特性が値として定量化可能であり，かつ該選択された温度の個別ガス成分に該物質を少なくとも１分間暴露した際に少なくとも１種の物質の応答値が一定であるかまたは２０パーセント以下の変化を示す，請求項１に記載の装置。
　　【請求項７】
　前記多成分ガス混合物が４００℃未満の温度を有し，かつ前記アレイが前記ガス混合物内に位置して４００℃以上の実質的に一定の温度を有する，請求項１に記載の装置。
　　【請求項８】
　自動車排気系を備えた，請求項１に記載の装置。
　　【請求項９】
　多成分ガス混合物中の少なくとも１種の個別ガス成分を分析する方法であって，
　（ａ）少なくとも４つの化学的／電気的活性物質のアレイを提供することであって，
　それぞれの化学的／電気的活性物質は，該個別ガス成分に選択された温度で暴露したときに他の化学的／電気的活性物質のそれぞれとは異なる電気的応答特性を有し，
　これらの４つの化学的／電気的活性物質は，式Ｍ1Ｏx，Ｍ1aＭ2bＯxおよびＭ1aＭ2bＭ3cＯxの金属酸化物の異なる組み合わせから選ばれ；４つの金属酸化物物質の組み合わせが，少なくとも１つの式Ｍ1aＭ2bＯxまたはＭ1aＭ2bＭ3cＯxの金属酸化物を含み，
　式Ｍ1Ｏxの金属酸化物がＺｎＯ，ＳｎＯ2およびＮｉＯからなる群より選択され，
　式Ｍ1aＭ2bＯxの金属酸化物がＮｉＦｅ2Ｏ4，１％Ｎｂ：ＴｉＯ2，ＳｒＮｂ2Ｏ6，ＭｎＴｉＯ3，Ｚｎ4ＴｉＯ6，ＳｒＴｉＯ3，ＺｎＴｉＯ3およびＭｎＣｒＯ3からなる群より選択され，ただし，４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではなく，
　式Ｍ1aＭ2bＭ3cＯxの金属酸化物がＣｕＭｎＦｅ2Ｏ4および１％Ｚｎ：ＭｇＡｌ2Ｏ4からなる群より選択され，
　ａ，ｂおよびｃは，ａ＋ｂ＋ｃ＝１という条件つきで，それぞれ独立して，０.０００５〜１であり，ｘは，存在する酸素が化合物中の他の元素の電荷とのバランスをとるのに十分な数であることと，
　（ｂ）該アレイを該ガス混合物に暴露したときにそれぞれの化学的／電気的活性物質の電気的応答値を決定することと，
　（ｃ）該電気的応答値から該個別ガス成分の分析を行うことと，
を含む，多成分ガス混合物中の少なくとも１種の個別ガス成分を分析する方法。」
　
（３）補正事項
　上記請求項１についての補正は，次のアないしオの事項を含む。
ア　「多成分ガス混合物」が，「燃焼ガス排出物」のものであることを限定する。
　
イ　「少なくとも４つの化学的／電気的活性物質」の選択肢から，「Ｍ1aＭ2bＭ3cＯx」を削除する。
　
ウ　「ａ、ｂおよびｃは、ａ＋ｂ＋ｃ＝１という条件つきで、それぞれ独立して、０.０００５〜１であり、ｘは、存在する酸素が化合物中の他の元素の電荷とのバランスをとるのに十分な数である」との事項を削除する。
　
エ　「Ｍ1aＭ2bＯx」の選択肢から「ＳｒＮｂ2Ｏ6」と「ＳｒＴｉＯ3」とを削除し，代わりに「ＳｒＮｂ2Ｏ6とＳｒＴｉＯ3の混合物」を追加する。
　
オ　「４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではな」いという事項を削除し，「当該４つの金属酸化物物質の組み合わせは，ＭｎＣｒＯ3，および，ＳｒＮｂ2Ｏ6とＳｒＴｉＯ3の混合物からなる群より選択される少なくとも一つの金属酸化物を含む」という事項を追加する。
　
（４）補正事項についての検討
ア　上記（３）アは上位概念から下位概念への変更，上記（３）イは択一的記載の要素の削除であるから，平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものに該当する。
　
イ　上記（３）ウについては，上記（３）イに伴うものといえ，また，拒絶理由に示された事項についてした，明瞭でない記載の釈明ともいえるから，平成１８年改正前特許法第１７条の２第４項第２号の特許請求の範囲の減縮，又は第４号の明瞭でない記載の釈明を目的とするものに該当する。
　
ウ　一般に，単独の金属酸化物と二つの金属酸化物の混合物とは，物質的にも化学的にも別物であり，本願明細書の実施例においても，単独の金属酸化物の例は記載されているが，二つの金属酸化物の混合物の例がなく，それらを同等な物質として扱っているとはいえない。してみれば，「ＳｒＮｂ2Ｏ6」及び「ＳｒＴｉＯ3」と，「ＳｒＮｂ2Ｏ6とＳｒＴｉＯ3の混合物」とは同等なものとはいえず，また，単独の金属酸化物である「ＳｒＮｂ2Ｏ6」及び「ＳｒＴｉＯ3」の下位概念に相当するともいえない。よって，「ＳｒＮｂ2Ｏ6」及び「ＳｒＴｉＯ3」を選択肢から削除し，「ＳｒＮｂ2Ｏ6とＳｒＴｉＯ3の混合物」を選択肢として追加することは，限定的減縮を目的とするものに該当しない。
　よって，上記（３）エの補正事項は，平成１８年改正前特許法第１７条の２第４項第２号の特許請求の範囲の減縮には該当しないし，同項第１号に掲げる請求項の削除，第３号の誤記の訂正，第４号の明瞭でない記載の釈明のいずれを目的とするものにも該当しない。
　
（５）以上より，本件補正は，上記ウの点で，平成１８年改正前特許法第１７条の２第４項各号のいずれにも該当しないものであるから，同法第１５９条第１項において読み替えて準用する同法第５３条第１項の規定により却下すべきものである。
　
２　独立特許要件について
　加えて，本件補正が平成１８年改正前特許法第１７条の２第４項第２号の特許請求の範囲の減縮に該当するとしても，本件補正後の請求項１に係る発明（以下「本願補正発明」という。）は，以下のとおり，特許出願の際独立して特許を受けることができるものではない。
　
（１）本件補正発明には，式Ｍ1aＭ2bＯxの金属酸化物の選択肢として，「ＳｒＮｂ2Ｏ6とＳｒＴｉＯ3の混合物」が含まれる。
　これに関連して，発明の詳細な説明の記載には，次のことが記載されている。
　
ア　「【００７５】
実施例１
  この実施例では、４５０℃の４種の燃焼ガス組成物の存在下における２０種の金属酸化物半導電性物質の電気的性質の変化を示す。以下の表１に列挙されているシグナルは、上記の赤外線サーモグラフィー法により得たものである。これらのシグナルは、２％Ｏ２／９８％Ｎ２である比較ガスにおける温度に対する、記載の４種のガス組成物のうちの１種に暴露したときの物質の温度差（℃）を表し、半導電性物質の電気抵抗の変化を反映している。別段の記載がないかぎり、シグナルはすべて、物質を横切って１０Ｖの印加を行ったときに得られたものである。空欄は、そのガス組成物をその物質に接触させたときに検出可能なシグナルが得られなかったことを示す。別段の記載がないかぎり、Ｎ２中２０００ｐｐｍでガスを測定した。
【００７６】
【表３】
」
　
イ　「【００７８】
実施例２
  この実施例では、４５０℃の５種の燃焼ガス組成物の存在下における８種の金属酸化物半導電性物質の電気的性質の変化を示す。以下の表２に列挙されているシグナルは、赤外線サーモグラフィー法により得たものである。これらのシグナルは、２％Ｏ２／９８％Ｎ２である比較ガスにおける温度に対する、記載のガス組成物に暴露したときの半導電性物質の温度差（℃）である。別段の記載がないかぎり、シグナルはすべて、半導電性物質を横切って１０Ｖの印加を行ったときに得られたものである。空欄は、そのガス組成物をその物質に接触させたときに検出可能なシグナルが得られなかったことを示す。別段の記載がないかぎり、Ｎ２中２０００ｐｐｍでガスを測定した。
【００７９】
【表４】
」
　
ウ　「【００８０】
実施例３
  この実施例では、６００℃の４種の燃焼ガス組成物の存在下における２６種の金属酸化物半導電性物質の電気的性質の変化を示す。すぐ下の表３に列挙されているシグナルは、赤外線サーモグラフィー法を用いて得たものである。これらのシグナルは、２％Ｏ２／９８％Ｎ２である比較ガスにおける温度に対する、記載のガス組成物に暴露したときの物質の温度差（℃）の測定値である。別段の記載がないかぎり、シグナルはすべて、物質を横切って１０Ｖの印加を行ったときに得られたものである。空欄は、そのガス組成物をその物質に接触させたときに検出可能なシグナルが得られなかったことを示す。別段の記載がないかぎり、Ｎ２中２０００ｐｐｍでガスを測定した。
【００８１】
【表５】
」
　
エ　「【００８３】
実施例４
  この実施例では、実施例３の４種の金属酸化物物質のセットを用いてＩＲサーモグラフィーシグナルにより６００℃の記載の４種のガス組成物を識別しうることを示す。以下の
表４に結果を示す。これらのシグナルは、２％Ｏ２／９８％Ｎ２である比較ガスにおける温度に対する、記載のガスに暴露したときの物質の温度差（℃）の測定値である。別段の記載がないかぎり、シグナルはすべて、物質を横切って１０Ｖの印加を行ったときに得られたものである。空欄は、そのガス組成物をその物質に接触させたときに検出可能なシグナルが得られなかったことを示す。別段の記載がないかぎり、Ｎ２中２０００ｐｐｍでガスを測定した。
【００８４】
【表６】
」
　
オ　「【００８７】
比較例Ａ
  この比較例では、実施例３の６種の物質のこのセットを用いてＩＲサーモグラフィーシグナルにより６００℃の２種のガス組成物を識別できないことを実証し、物質を適切に選択することの重要性を示す。。以下の表５Ａに結果を示す。これらのシグナルは、２％Ｏ２／９８％Ｎ２である比較ガスにおける温度に対する、記載のガス組成物に暴露したときの物質の温度差（℃）の測定値である。別段の記載がないかぎり、シグナルはすべて、物
質を横切って１０Ｖの印加を行ったときに得られたものである。空欄は、そのガス組成物をその物質に接触させたときに検出可能なシグナルが得られなかったことを示す。別段の記載がないかぎり、Ｎ２中２０００ｐｐｍでガスを測定した。
【００８８】
【表８】
」
　
カ　「【００９１】
実施例６
  この実施例では、４００℃の４種のガス組成物の存在下における１９種の金属酸化物半導電性物質の応答の測定のためのＡＣインピーダンス法の使用を示す。以下の表６に列挙されているシグナルは、Ｎ２中１０，０００ｐｐｍのＯ２におけるインピーダンスの大きさに対する、記載のガス組成物に暴露したときの物質のインピーダンスの大きさの比である。使用したガスは、Ｎ２中２００ｐｐｍのＮＯ２、Ｎ２中２００ｐｐｍのＮＯ２および１０，０００ｐｐｍのＯ２、Ｎ２中１０００ｐｐｍのＣＯ、ならびにＮ２であった。
【００９２】
【表１０】
」
　
キ　「【００９３】
実施例７
  この実施例では、５５０℃の４種のガス組成物の存在下における１９種の金属酸化物半導電性物質の応答の測定のためのＡＣインピーダンス法の使用を示す。表に列挙されているシグナルは、ＡＣインピーダンス法により得られたものである。これらのシグナルは、Ｎ２中１０，０００ｐｐｍのＯ２におけるインピーダンスの大きさに対する、記載のガス組成物に暴露したときの物質のインピーダンスの大きさの比である。使用したガスは、Ｎ２中２００ｐｐｍのＮＯ２、Ｎ２中２００ｐｐｍのＮＯ２および１０，０００ｐｐｍのＯ２、Ｎ２中１０００ｐｐｍのＣＯ、ならびにＮ２であった。
【００９４】
【表１１】
」
　
ク　「【００９５】
実施例８
  この実施例では、６５０〜７００℃の４種のガス組成物の存在下における２３種の半導電性物質の応答の測定のためのＡＣインピーダンス法の使用を示す。表に列挙されているシグナルは、ＡＣインピーダンス法により得られたものである。これらのシグナルは、Ｎ２中１０，０００ｐｐｍのＯ２におけるインピーダンスの大きさに対する、記載のガス組成物に暴露したときの物質のインピーダンスの大きさの比である。使用したガスは、Ｎ２中２００ｐｐｍのＮＯ２、Ｎ２中２００ｐｐｍのＮＯ２および１０，０００ｐｐｍのＯ２、Ｎ２中１０００ｐｐｍのＣＯ、ならびにＮ２であった。
【００９６】
【表１２】
」
　
ケ　「【００９７】
実施例９
  この実施例では、８００℃の４種のガス組成物の存在下における１６種の半導電性物質の応答の測定のためのＡＣインピーダンス法の使用を示す。表に列挙されているシグナルは、ＡＣインピーダンス法により得られたものである。これらのシグナルは、Ｎ２中１０，０００ｐｐｍのＯ２におけるインピーダンスの大きさに対する、記載のガス組成物に暴露したときの物質のインピーダンスの大きさの比である。使用したガスは、Ｎ２中２００ｐｐｍのＮＯ２、Ｎ２中２００ｐｐｍのＮＯ２および１０，０００ｐｐｍのＯ２、Ｎ２中１０００ｐｐｍのＣＯ、ならびにＮ２であった。
【００９８】
【表１３】
」
　
（２）発明の詳細な説明の記載事項についての検討
　上記（１）アないしケのうち，例えば，上記（１）カには，４００℃の４種のガス組成物の存在下における１９種の金属酸化物半導電性物質の応答の測定のためのＡＣインピーダンス法の使用を示した【表１０】中に，ＳｒＮｂ２Ｏ６とＳｒＴｉＯ３が各々別の金属酸化物半導電性物質として使用されている。
　しかし，ＳｒＮｂ２Ｏ６とＳｒＴｉＯ３を混合物として用いる例は，上記（１）アないしケのいずれにも記載されていない。
　
（３）第３６条第６項第１号について
　上記（２）より，ＳｒＮｂ２Ｏ６とＳｒＴｉＯ３の混合物を用いる本件補正発明に含まれるＳｒＮｂ2Ｏ6とＳｒＴｉＯ3の混合物を化学的／電気的活性物質として用いること，また，この混合物を用いたとき，この混合物が本件補正発明の分析対象である燃焼ガス排出物の各成分に対してどのような挙動を示すのか，さらに，この混合物を用いたとき，多成分ガス混合物を分析するため，少なくとも他の３つの化学的／電気的活性物質として何を選択するのが好適なのか，発明の詳細な説明には何らの記載も示唆もなされていない。
　よって，ＳｒＮｂ２Ｏ６とＳｒＴｉＯ３の混合物を用いる本件補正発明は発明の詳細な説明に記載されたものとはいえない。
　したがって，本件補正発明を特定するために必要な事項が記載された本件補正後の特許請求の範囲の記載は，発明の詳細な説明に記載されたものではないから，特許法第３６条第６項第１号に規定する要件を満たしていない。
　
（４）上記（３）より，本件補正が平成１８年改正前特許法第１７条の２第４項第２号の特許請求の範囲の減縮に該当するとしても，本件補正発明は，特許出願の際独立して特許を受けることができないものであるから，本件補正は，平成１８年改正前特許法第１７条の２第５項において準用する同法第１２６条第５項の規定に違反する。
　よって，本件補正は，平成１８年改正前特許法第１７条の２第４項第２号の特許請求の範囲の減縮に該当するとしても，同法第１５９条第１項の規定において読み替えて準用する同法第５３条第１項の規定により却下すべきものである。
　
　
第３　本願発明について
１　本願発明
　平成２５年１０月　４日付けでなされた手続補正は，上記第２のとおり却下されたので，本願の請求項１ないし９に係る発明は，平成２４年１０月　２日付け手続補正書の特許請求の範囲の請求項１ないし９に記載された事項により特定されるものであるところ，その請求項１に係る発明（以下「本願発明」という。）は，明細書及び図面の記載からみて，その請求項１に記載された事項により特定される，上記第２［理由］１（２）の「【請求項１】」に記載のとおりのものである。
　
２　引用例
（１）原査定の拒絶の理由で引用され，本願の優先権主張の日前に頒布された刊行物である特開昭５７−６６３４７号公報（以下「引用例１」という。）には，次のことが記載されている。なお，後に引用発明の認定に直接的に利用する箇所に当審が下線を付した。
　
ア　１頁右下欄１２行〜２頁左上欄２行
「本発明は
異なつた既知の成分からなる混合ガスの成分ガスの種類および濃度等のガス情報を測定する混合ガス検出装置
　従来、酸化スズ（SnO2），酸化鉄（Fe2O3），酸化亜鉛（ZnO）などの半導体ガス検出装置は、ガス濃度を電気信号の強弱として出力することができ、使い易く安価であるために多く用いられてきた。その動作原理は、
被検出ガスの上記半導体ガス検出素子の活性部への吸着による抵抗変化を
検出回路で電圧出力として取り出す
　
イ　２頁右上欄１２行〜左下欄１行
「本発明の要点は、ガス検出素子の材料のガスに対するガス検出感度の差（以下ガス選択性と称する）を逆に利用して、被測定混合ガス中の各成分ガスに対する各ガス検出素子の検出感度をあらかじめ測定しておき、
各検出素子ごとに測定される検出出力と上記の各ガス検出素子の有する成分ガスごとの既知の検出感度とから組み立てられる多元連立一次方程式を解いて混合ガスの成分ガス濃度，濃度比、特定ガス成分の有無等のガス情報を定めるようにした
　
ウ　３頁左上欄６〜１０行
「第4図（a）は本発明の混合ガス検出装置の要部であるガス検出素子部を示す概略図である。本ガス検出素子部は
６個の検出素子
がマトリツクス状に配置され
　
エ　３頁右上欄７〜１６行
「本実施例の場合のセンサペーストは、
センサ401にCoO材料、センサ402にWO
3
＋Pt材料、センサ403にVO
2
＋Ag材料、センサ404にZnO＋Pd材料、センサ405にFe
3
O
4
材料、センサ406にSnO
2
材料とし
　かゝる構造の
ガス検出素子部からの信号（電圧値）は、上部電極415と下部電極412との組み合わせによつて取り出され
　
オ　３頁左下欄７行〜右下欄最下行
「第5図で51は
CoO系ガス検知素子
WO
3
＋Pt混合系ガス検知素子
V
2
O
5
＋Ag混合系ガス検知素子
ZnO＋Pd混合系ガス検知素子
SnO
2
系ガス検知素子
Fe
3
O
4
系ガス検知素子
　ちなみに上記各成分ガスに対する各検知素子のガス選択度を示す検出感度は、下記の第１表に示すようである。
」
　
カ　６頁第４図
「
」
　
キ　６頁第５〜６図
「
」
　
ク　７頁第７〜１０図
「
」
　
ケ　上記エと上記オの間で，バナジウムの酸化物が異なるが，各種ガスに対する検出感度の記載された上記オの「
V
2
O
5
＋Ag
　また，上記オの第１表，また，上記キ及び上記クの第５〜１０図から，
上記６個の検出素子は，混合ガスの各成分ガスに対して各々異なる検出感度を有する
　
コ　技術常識を勘案して以上の記載事項を総合すれば，引用例１には次の発明（以下「引用発明１」という。）が記載されていると認められる。
　
「酸素，水素，二酸化窒素，一酸化炭素等の，異なった既知の成分からなる混合ガスの成分ガスの種類および濃度等のガス情報を測定する混合ガス検出装置において，
　各々CoO材料，WO3＋Pt材料，V2O5＋Ag材料，ZnO＋Pd材料，Fe3O4材料，SnO2材料からなる６個の検出素子がマトリックス状に配置され，
　上記６個の検出素子は，上記混合ガスの各成分ガスに対して各々異なる検出感度を有し，
　上記６個の検出素子への上記混合ガスの吸着による抵抗変化を，上部電極と下部電極の組み合わせにより各々電圧信号として取り出す検出回路を備え，
　上記６個の検出素子ごとに測定される検出出力と各検出素子の有する成分ガスごとの既知の検出感度とから組み立てられる多元連立一次方程式を解いて上記混合ガスの成分ガス濃度，濃度比、特定ガス成分の有無等のガス情報を定めるようにした混合ガス検出装置。」
　
（２）引用例２
　原査定の拒絶の理由で引用され，本願の優先権主張の日前に頒布された刊行物である特公平６−７６９８０号公報（以下「引用例２」という。）には，次のことが記載されている。
　
ア　１欄１２行〜２欄１３行
「【発明の詳細な説明】
〔産業上の利用分野〕
本発明は、混合気体中に含まれるNOxガスの濃度を検出するためのNOxガス検知素子に関し、特に内燃機関等の排ガスに含まれるような高濃度のNOxガスの検出に有効なNOxガス検知素子に関するものである。」
〔従来の技術及び問題点〕
従来、使用されているNOxガス濃度測定には、化学発光法、赤外線吸収法、電気分解法等が用いられていたが、これらの方法の実施には大型の装置を要するため高価であり、また、メインテナンスが困難であるといった問題があった。
これらの問題を解決するため、SnO2やAgO-V2O5等の金属酸化物半導体やフタロシアニン錯体等の有機半導体をNOxガス検知素子として用いた小型でメンテナンスフリーのNOxガス検知器が多くの研究者により検討されてきた」
　
イ　３欄１７〜３７行
「〔問題点を解決するための手段〕
本発明者は上記の様な問題点を解決するために鋭意研究を重ねた結果、少なくとも表面に酸化触媒を含有する層を有し、特定の酸素欠陥を有するチタン原子を含有する金属酸化物をNOxガス検知素子として使用することにより、NOとNO2に対して同等で且つ高い感度を示し、また、測定可能なNOxガス濃度の上限が高く、しかもNOx以外の夾雑ガスに対する感度が極めて低く、該夾雑ガスの影響が少ないという優れた特性を示すことを見い出し、本発明を完成するに至った。
本発明は、非化学量論性パラメーター（δ）が0.01＜δ＜0.5の酸素欠陥を有する、
（ａ）TiO2、
（ｂ）TiO2と固溶する金属とチタンとの複合酸化物、及び
（ｃ）チタンとペロブスカイト型構造の酸化物を形成する金属とチタンとの複合酸化物
よりなる群から選ばれた少なくとも１種の金属酸化物（以下、含チタン酸化物ともいう）よりなり、且つ少なくとも表面に酸化触媒を含有する層を有するNOxガス検知素子である。」
　
ウ　４欄２４〜２９行
「また、一般式BTiO3-δで示される含チタン酸化物はペロブスカイト型の構造をとる酸化物であり、その具体的なものを例示すれば、CaTiO3-δ,SrTiO3-δ,BaTiO3-δ,PbTiO3-δ,CdTiO3-δ,ZnTiO3-δ,LaTiO3-δ,BaTiO3-δ,NdTiO3-δ,SryBa-yTiO3-δ,BayLa1-yTiO3-δ,CaySr1-yTiO3-δ，等が挙げられる。」
　
（３）引用例３
　原査定の拒絶の理由で引用され，本願の優先権主張の日前に頒布された刊行物である特公平６−２３７１０号公報（以下「引用例３」という。）には，次のことが記載されている。
　
ア　１欄１２行〜２欄最下行
「〔産業上の利用分野〕
本発明は、混合気体中に含まれるNOxガスの濃度検出を行うための新規なNOxガス検知素子に関し、特に内燃機関等の排ガスに含まれる様な高濃度のNOxガスの検出に有効なNOxガス検知素子に関するものである。
〔従来の技術及び問題点〕
従来、使用されているNOx濃度測定には、化学発光法、赤外線吸収法、電気分解法等が用いられてきたがこれらの方法の実施には大型の装置を要し高価であり、また、メンテナンスが困難であるといった問題点があった。これらの問題点を解決するため、SnO2やAgO−V2O5等の金属酸化物半導体やフタロシアニン錯体等の有機半導体をNOxガス検知素子として用いた小型でメンテナンスフリーのNOxガス検知器が多くの研究者により検討されてきた。
かかるNOxガス検知器は、NOxガス検知素子に一対の電極を接続し、該NOxガス検知素子がNOxを吸着したときに起こる抵抗の変化を測定してNOx量を測定するものである。」
　
イ　７欄３７行〜８欄８行
「実施例２〜１５
一般式AxTi1-xO2（ただしＡはAl，Ｖ，Nb，Ta，Sb，As，Ga，In，Sc，及びＹよりなる群から選ばれた少なくとも１種の元素を示し、０＜ｘ＜１である）よりなる含チタン酸化物の製造は、Ａの酸化物とTiO2とを所定のモル比で混合し、空気中で１０００℃にて１時間焼成することにより行った。また、BTiO3（ＢはMg，Ca，Sr，Ba，Pb，Cd，Ni，Cr，Co，Mn，Zn，Fe及びLnよりなる群から選ばれた少なくとも１種の元素を示す）よりなる含チタン酸化物の製造は、Ｂの炭素塩とTiO2とを所定のモル比で混合し、空気中で１２００℃にて１時間焼成することにより行った。」
　
３　対比
　本願発明と引用発明１とを対比する。
（１）引用発明１の「混合ガス」は，「成分ガス」が複数種類含まれるものであるから，本願発明の「多成分ガス混合物」に相当する。
　そして，引用発明１の「成分ガスの種類および濃度等のガス情報を測定する」ことは，本願発明の「個別ガス成分を分析する」ことに相当する。
　してみれば，引用発明１の「異なった既知の成分からなる混合ガスの成分ガスの種類および濃度等のガス情報を測定する混合ガス検出装置」は，本願発明の「多成分ガス混合物中の少なくとも１種の個別ガス成分を分析する装置」に相当する。
　
（２）引用発明１において「６個の検出素子がマトリックス状に配置され」ていることは，６個の検出素子が配列されている，すなわちアレイになっていることを意味する。
　そして，引用発明１の「検出素子」が有する「CoO材料，WO3＋Pt材料，V2O5＋Ag材料，ZnO＋Pd材料，Fe3O4材料，SnO2材料」は，「混合ガスの吸着によ」り「抵抗変化」を示す性質を備えるから，本願発明の「化学的／電気的活性物質」に相当する。
　してみれば，引用発明１が備える「各々CoO材料，WO3＋Pt材料，V2O5＋Ag材料，ZnO＋Pd材料，Fe3O4材料，SnO2材料からなる６個の検出素子がマトリックス状に配置され」たものは，本願発明の「少なくとも４つの化学的／電気的活性物質のアレイ」に相当する。
　
（３）引用発明１では「検出素子」の一つとして「SnO2」を選択している。
　してみれば，引用発明１の「各々CoO材料，WO3＋Pt材料，V2O5＋Ag材料，ZnO＋Pd材料，Fe3O4材料，SnO2材料からなる６個の検出素子がマトリックス状に配置され」たものと，本願発明の「少なくとも４つの化学的／電気的活性物質のアレイであって，
　これらの４つの化学的／電気的活性物質は，式Ｍ1Ｏx，Ｍ1aＭ2bＯxおよびＭ1aＭ2bＭ3cＯxの金属酸化物の異なる組み合わせから選ばれ；４つの金属酸化物物質の組み合わせが，少なくとも１つの式Ｍ1aＭ2bＯxまたはＭ1aＭ2bＭ3cＯxの金属酸化物を含み，
　式Ｍ1Ｏxの金属酸化物がＺｎＯ，ＳｎＯ2およびＮｉＯからなる群より選択され，
　式Ｍ1aＭ2bＯxの金属酸化物がＮｉＦｅ2Ｏ4，１％Ｎｂ：ＴｉＯ2，ＳｒＮｂ2Ｏ6，ＭｎＴｉＯ3，Ｚｎ4ＴｉＯ6，ＳｒＴｉＯ3，ＺｎＴｉＯ3およびＭｎＣｒＯ3からなる群より選択され，ただし，４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではなく，
　式Ｍ1aＭ2bＭ3cＯxの金属酸化物がＣｕＭｎＦｅ2Ｏ4および１％Ｚｎ：ＭｇＡｌ2Ｏ4からなる群より選択され，
　ａ，ｂおよびｃは，ａ＋ｂ＋ｃ＝１という条件つきで，それぞれ独立して，０.０００５〜１であり，ｘは，存在する酸素が化合物中の他の元素の電荷とのバランスをとるのに十分な数である，アレイ」とは，
　「少なくとも４つの化学的／電気的活性物質のアレイであって，
　これらの４つの化学的／電気的活性物質は，金属酸化物の異なる組み合わせから選ばれ，
　金属酸化物の１つとしてＳｎＯ2を有するアレイ」である点で共通する。
　
（４）引用発明１の「抵抗変化」は，本願発明の「電気的応答」に相当する。
　してみれば，引用発明１の「上記６個の検出素子への上記混合ガスの吸着による抵抗変化を，上部電極と下部電極の組み合わせにより各々電圧信号として取り出す検出回路」は，本願発明の「該アレイを該ガス混合物に暴露したときに，それぞれの化学的／電気的活性物質の電気的応答を決定する手段」に相当する。
　
（５）引用発明の「検出出力」は，「抵抗変化を」「電圧信号として取り出す検出回路」の出力である。
　そして，引用発明の「混合ガス検出装置」は，「上記６個の検出素子ごとに測定される検出出力と各検出素子の有する成分ガスごとの既知の検出感度とから組み立てられる多元連立一次方程式を解いて上記混合ガスの成分ガス濃度，濃度比、特定ガス成分の有無等のガス情報を定めるようにした」のであるから，その「ガス情報を定める」手段を備えるのは技術常識から明らかである。
　また，引用発明の「成分ガス濃度，濃度比、特定ガス成分の有無等のガス情報を定める」ことは，本願発明の「個別ガス成分の分析を行う」ことに相当する。
　よって，引用発明が備える「上記６個の検出素子ごとに測定される検出出力と各検出素子の有する成分ガスごとの既知の検出感度とから組み立てられる多元連立一次方程式を解いて上記混合ガスの成分ガス濃度，濃度比、特定ガス成分の有無等のガス情報を定める」手段は，本願発明の「該電気的応答から該個別ガス成分の分析を行う手段」に相当する。
　
（６）以上より，本願発明と引用発明１との一致点，相違点は，次のとおりである。
　
「一致点」
「多成分ガス混合物中の少なくとも１種の個別ガス成分を分析する装置であって，
　（ａ）少なくとも４つの化学的／電気的活性物質のアレイであって，
　これらの４つの化学的／電気的活性物質は，式Ｍ1Ｏxの金属酸化物の異なる組み合わせから選ばれ，
　式Ｍ1Ｏxの金属酸化物の１つがＳｎＯ2であるアレイと，
　（ｂ）該アレイを該ガス混合物に暴露したときに，それぞれの化学的／電気的活性物質の電気的応答を決定する手段と，
　（ｃ）該電気的応答から該個別ガス成分の分析を行う手段と，
を備えた，多成分ガス混合物中の少なくとも１種の個別ガス成分を分析する装置。」
　
「相違点」
　本願発明は「４つの金属酸化物物質の組み合わせが，少なくとも１つの式Ｍ1aＭ2bＯxまたはＭ1aＭ2bＭ3cＯxの金属酸化物を含み，
　式Ｍ1aＭ2bＯxの金属酸化物がＮｉＦｅ2Ｏ4，１％Ｎｂ：ＴｉＯ2，ＳｒＮｂ2Ｏ6，ＭｎＴｉＯ3，Ｚｎ4ＴｉＯ6，ＳｒＴｉＯ3，ＺｎＴｉＯ3およびＭｎＣｒＯ3からなる群より選択され，ただし，４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではなく，
　式Ｍ1aＭ2bＭ3cＯxの金属酸化物がＣｕＭｎＦｅ2Ｏ4および１％Ｚｎ：ＭｇＡｌ2Ｏ4からなる群より選択され，
　ａ，ｂおよびｃは，ａ＋ｂ＋ｃ＝１という条件つきで，それぞれ独立して，０.０００５〜１であり，ｘは，存在する酸素が化合物中の他の元素の電荷とのバランスをとるのに十分な数である」のに対し，
　引用発明１は「式Ｍ1Ｏxの金属酸化物」のみを選択しており，上記本願発明の「式Ｍ1aＭ2bＯxまたはＭ1aＭ2bＭ3cＯxの金属酸化物を含」まない点。
　
４　相違点についての判断
　上記相違点について検討する。
　
（１）含Ｔｉ酸化物の採用
　引用発明１のように，金属酸化物へのガスの吸着による抵抗変化でガスを検出する材料として，ＳｒＴｉＯ３，ＺｎＴｉＯ３，ＭｎＴｉＯ３等の含Ｔｉ酸化物は，上記２（２），（３）の引用例２及び３に記載されているように，いずれも公知であったし，その各材料で各種のガスに対する電気的応答が異なるのは自明である。
　そして，引用例２，３に記載されているように含Ｔｉ酸化物は，引用発明が検出対象とするＮＯｘ等に対する感度が高いのであるから，引用発明１のＳｎＯ２の他のセンサーを構成する材料として，ＳｒＴｉＯ３，ＺｎＴｉＯ３，ＭｎＴｉＯ３等の含Ｔｉ酸化物を適用することは当業者が容易に想到することである。
　なお，本願発明において，金属酸化物としてＳｎＯ２の他にＳｒＴｉＯ３，ＺｎＴｉＯ３，ＭｎＴｉＯ３等の含Ｔｉ酸化物を採用したことによる効果について検討するに，発明の詳細な説明における実施例としては，上記２（１）アないしケのとおり，Ｎ２中のＮＯ２，Ｏ２２％／Ｎ２９８％中のＮＯ２，Ｎ２中のＣＯ，リファレンスであるＮ２，Ｃ４Ｈ１０１％に対する，ＺｎＯ，ＳｎＯ２，ＮｉＦｅ２Ｏ４等の各金属酸化物における温度変化やインピーダンスの変化を示しつつ，上記２（１）オに，Ｎ２中及びＯ２２％／Ｎ２９８％中のＮＯ２の２種類のガス（２種類の雰囲気でのＮＯ２）は，ＳｎＯ２，ＷＯ３，ＦｅＴｉＯ３，ＮｉＯ，ＳｎＯ２＋５％Ｆ２８８９，ＣｕＦｅ２Ｏ４では同じ温度変化を示すので区別できず，物質を適切に選択することが重要である旨記載されているのみであり，結局，具体的にどういう多成分ガス混合物において，どういった金属酸化物を少なくとも４つ選ぶと，どういった効果が得られるということも記載されていないのであるから，ＳｎＯ２の他にＳｒＴｉＯ３，ＺｎＴｉＯ３，ＭｎＴｉＯ３等の含Ｔｉ酸化物を採用したことによる，ガスセンサとしての格別顕著な効果は認められない。
　よって，引用発明１における化学的／電気的活性物質として，ＳｎＯ2の他にＳｒＴｉＯ３，ＺｎＴｉＯ３，ＭｎＴｉＯ３を採用することは，当業者が容易に想到し得たことである。
　
（２）４つの金属酸化物の組み合わせ
ア　除外される金属酸化物について
　上記（１）で検討した，引用発明１における化学的／電気的活性物質として，ＳｎＯ2の他にＳｒＴｉＯ３，ＺｎＴｉＯ３，ＭｎＴｉＯ３を採用したもの（以下「引用発明＋含Ｔｉ酸化物」という。）における式Ｍ1aＭ2bＯxの金属酸化物はＳｒＴｉＯ３，ＺｎＴｉＯ３，ＭｎＴｉＯ３の３つであるから，「４つの金属酸化物物質の組み合わせがただ一つの式Ｍ1aＭ2bＯxの金属酸化物を含むとき」という条件には該当しないこととなる。
　よって，「引用発明＋含Ｔｉ酸化物」は，上記相違点における「ただし，４つの金属酸化物物質の組み合わせがただ一つの式Ｍ1aＭ2bＯxの金属酸化物を含むときは，当該式Ｍ1aＭ2bＯxの金属酸化物は１％Ｎｂ：ＴｉＯ2，ＭｎＴｉＯ3，Ｚｎ4ＴｉＯ6，ＳｒＴｉＯ3またはＺｎＴｉＯ3ではな」いものに包含されるものであるといえる。
　
イ　Ｍ1aＭ2bＭ3cＯxについて
　「引用発明＋含Ｔｉ酸化物」には，少なくともＳｎＯ2，ＳｒＴｉＯ３，ＺｎＴｉＯ３，ＭｎＴｉＯ３の４つの金属酸化物が含まれるものであって，本願発明の「少なくとも１つの式Ｍ1aＭ2bＯx（「引用発明＋含Ｔｉ酸化物」では，ＳｒＴｉＯ３，ＺｎＴｉＯ３，ＭｎＴｉＯ３が該当）またはＭ1aＭ2bＭ3cＯxの金属酸化物を含むもの」に相当するものになる。
　そして，本願発明における４つの金属酸化物の組み合わせには，１つのＭ１Ｏｘと３つのＭ１ａＭ２ｂＯｘの組み合わせのみからなるものが含まれるのであるから，「引用発明＋含Ｔｉ酸化物」において採用されている１つのＭ１ＯｘであるＳｎＯ２と３つのＭ１ａＭ２ｂＯｘであるＳｒＴｉＯ３，ＺｎＴｉＯ３，ＭｎＴｉＯ３の他に，Ｍ1aＭ2bＭ3cＯxの金属酸化物を含まないものも本願発明には含まれる。
　したがって，「引用発明＋含Ｔｉ酸化物」における４つの金属酸化物の他に，さらに式Ｍ1aＭ2bＭ3cＯxの金属酸化物を含んでいないもの，すなわち，式Ｍ1aＭ2bＭ3cＯxの金属酸化物に付随する「式Ｍ1aＭ2bＭ3cＯxの金属酸化物がＣｕＭｎＦｅ2Ｏ4および１％Ｚｎ：ＭｇＡｌ2Ｏ4からなる群より選択され，
　ａ，ｂおよびｃは，ａ＋ｂ＋ｃ＝１という条件つきで，それぞれ独立して，０.０００５〜１であり，ｘは，存在する酸素が化合物中の他の元素の電荷とのバランスをとるのに十分な数である」という条件を満たさないものであったとしても，上記「引用発明＋含Ｔｉ酸化物」が，上記相違点に係る本願発明の一態様に含まれるものであることにかわりはない。
　
（３）以上のことから，上記（１）で検討したように上記「引用発明＋含Ｔｉ酸化物」が容易に想到し得るものであるから，上記相違点に係る本願発明の構成は，当業者が容易に想到し得たことである。
　
５　むすび
　以上のとおり，本願発明は，特許法第２９条第２項の規定により特許を受けることができないから，他の請求項に係る発明について検討するまでもなく本願は拒絶されるべきものである。
　よって，結論のとおり審決する。